(57)【特許請求の範囲】
【請求項１】
環状の巻鉄心と、
前記巻鉄心に設けられた巻線を備え、前記巻鉄心は、複数層に重なる環状の磁気素材を切断してなる非環状の複数の分割鉄心間を前記巻線の内部で組合せることから構成され、
前記巻鉄心および前記巻線間には、前記複数の分割鉄心間の組合せ部分を視認可能とする隙間が形成されていることを特徴とする静止誘導機器。
【請求項２】
前記巻鉄心には、前記複数の分割鉄心間に位置して絶縁材が設けられていることを特徴とする請求項１に記載の静止誘導機器。
【請求項３】
前記巻鉄心には、前記複数の分割鉄心間の組合せ部分を封止する封止部が設けられていることを特徴とする請求項１または２に記載の静止誘導機器。
【発明の詳細な説明】
【技術分野】
【０００１】
実施例は静止誘導機器に関する。
【背景技術】
【０００２】
静止誘導機器には環状の巻鉄心を備えたものがある。この巻鉄心は複数層に重なる環状の磁気素材を非環状の複数の分割鉄心に切断し、複数の分割鉄心間を環状に組合せることで構成されるものであり、複数の分割鉄心間は予め決められた分割鉄心に巻線を装着した後に組合される。
【先行技術文献】
【特許文献】
【０００３】
【特許文献１】特開平０７−２２０９４１号公報
【発明の概要】
【発明が解決しようとする課題】
【０００４】
上記従来の静止誘導機器の場合には作業者が複数の分割鉄心間の組合せ部分を視認することが不能であり、例えば作業者が複数の分割鉄心間の位置的なずれの有無を目で確認することができなかった。
【課題を解決するための手段】
【０００６】
静止誘導機器は、環状の巻鉄心と、前記巻鉄心に設けられた巻線を備えたものであり、前記巻鉄心は複数層に重なる環状の磁気素材を切断してなる非環状の複数の分割鉄心間を前記巻線の内部で組合せることから構成され、前記巻鉄心および前記巻線間には前記複数の分割鉄心間の組合せ部分を視認可能とする隙間が形成されているところに特徴を有する。
【図面の簡単な説明】
【０００７】
【図１】実施例１を示す図（変圧器の外観を示す図）
【図２】上分割鉄心の一部および下分割鉄心の一部を両者間の分割状態で示す図
【図３】実施例２を示す図（図１相当図）
【図４】図２相当図
【図５】巻鉄心の視認領域を説明するための図
【発明を実施するための形態】
【実施例１】
【０００８】
図１の巻鉄心１は変圧器の鉄心として使用されるものであり、２つの脚部２および２つの継鉄部３を有する四角環状をなしている。両脚部２のそれぞれは継鉄部３に比べて長尺なものであり、左右方向に互いに対向する直状をなしている。両継鉄部３のそれぞれは脚部２に比べて短尺なものであり、両脚部２間を接続している。
【０００９】
巻鉄心１は、図１に示すように、上分割鉄心４および下分割鉄心５間を組合せることで構成されている。これら上分割鉄心４および下分割鉄心５は周方向に複数層に重なる四角環状の磁気素材を２つの切断位置から切断することで非環状に形成されたものであり、磁気素材としては電磁鋼板または鉄系アモルファスリボン等が使用されている。
【００１０】
巻鉄心１には樹脂層が形成されている。この樹脂層は四角環状の磁気素材を上分割鉄心４および下分割鉄心５に切断する前に四角環状の磁気素材に樹脂を含浸させることで成形されたものであり、巻鉄心１の表面全域を覆っている。これら上分割鉄心４および下分割鉄心５のそれぞれは分割鉄心に相当する。
【００１１】
巻鉄心１には、図１に示すように、２つの絶縁シート６が装着されている。これら両絶縁シート６のそれぞれは電気的な絶縁性を有するものであり、巻鉄心１の磁気抵抗を制御する。これら両絶縁シート６のそれぞれはアラミド紙を材料とするものであり、絶縁材に相当する。これら両絶縁シート６のそれぞれは切断面７および切断面８間に介在されている。これら両切断面７および両切断面８のそれぞれは四角環状の磁気素材を切断するときに形成されたものであり、両切断面７のそれぞれは上分割鉄心４の脚部２での端面を称し、両切断面８のそれぞれは下分割鉄心５の脚部２での端面を称する。
【００１２】
巻鉄心１には、図１に示すように、２つの絶縁筒９が装着されている。これら両絶縁筒９のそれぞれは四角筒状をなすものであり、脚部２の外周面に嵌め込まれている。これら両絶縁筒９のそれぞれは電気的な絶縁性を有するものであり、図２に示すように、両絶縁筒９内のそれぞれの左面および右面間の間隔寸法は脚部２の左面および右面間の幅寸法に比べて大きく設定されている。これら両絶縁筒９内のそれぞれの前面は脚部２の前面に接触しており、両絶縁筒９内のそれぞれの後面は脚部２の後面に接触している。
【００１３】
両絶縁筒９のそれぞれの外周面には、図１に示すように、巻線１０が装着されている。これら両巻線１０のそれぞれは絶縁筒９と軸方向の長さ寸法が同一に設定されたものであり、両巻線１０のそれぞれの上端面は絶縁筒９の上端面と同一の平面上に位置し、両巻線１０のそれぞれの下端面は絶縁筒９の下端面と同一の平面上に位置している。
【００１４】
両絶縁筒９のそれぞれは、図２に示すように、上分割鉄心４および下分割鉄心５間が組合される前の分割状態で下分割鉄心５の脚部２の外周面に上から嵌め込まれたものであり、両絶縁筒９のそれぞれの嵌め込み作業は巻線１０の装着状態で行われる。両絶縁シート６のそれぞれは両絶縁筒９の嵌め込み後に下分割鉄心５の切断面８に上から載置されたものであり、上分割鉄心４の両切断面７のそれぞれは両絶縁シート６の載置後に下分割鉄心５の切断面８に絶縁シート６の上から載置される。
【００１５】
巻鉄心１には、図１に示すように、結束バンド１１が装着されている。この結束バンド１１は巻鉄心１の外周面を取囲むものであり、上分割鉄心４および下分割鉄心５間の組合せ状態で左側の脚部２の左面および左側の絶縁筒９内の左面間の隙間に挿入され且つ右側の脚部２の右面および右側の絶縁筒９内の右面間に挿入されている。
【００１６】
結束バンド１１は、図１に示すように、上分割鉄心４および下分割鉄心５に装着された状態で左側の脚部２の左面および左側の絶縁筒９内の左面のそれぞれに接触し、右側の脚部２の右面および右側の絶縁筒９内の右面のそれぞれに接触するものである。この結束バンド１１の装着状態では左側の脚部２の右面および左側の絶縁筒９内の右面間が接触し、右側の脚部２の左面および右側の絶縁筒９内の左面間が接触している。
【００１７】
結束バンド１１、図１に示すように、結束具１２を有している。この結束具１２は結束バンド１１の一端部および他端部間を接続することで結束バンド１１を締め込むものであり、上分割鉄心４および下分割鉄心５間は結束バンド１１の締め込み力で締結され、両絶縁シート６のそれぞれは上分割鉄心４および下分割鉄心５間の締結力で切断面７および切断面８間に挟持される。
【００１８】
上分割鉄心４および下分割鉄心５間は、図１に示すように、結束具１２が結束バンド１１の一端部および他端部間を接続することで固定されるものである。これら上分割鉄心４および下分割鉄心５間の固定状態では上分割鉄心４の両切断面７および下分割鉄心５の両切断面８のそれぞれが絶縁筒９の上端面および巻線１０の上端面の双方に比べて上となり、両絶縁シート６と両切断面７と両切断面８が絶縁筒９および巻線１０の双方の外部に露出する。
【００１９】
巻鉄心１には、図１に示すように、両脚部２のそれぞれに位置して粘着テープ１３が巻回されている。これら両粘着テープ１３のそれぞれは絶縁性の合成樹脂に粘着剤を塗布してなるものであり、上分割鉄心４および下分割鉄心５間の組合せ部分を絶縁シート６の上から覆っている。これら両粘着テープ１３のそれぞれは上分割鉄心４の切断面７および下分割鉄心５の切断面８間を水密状態に塞ぐものであり、封止部に相当する。
【００２０】
上記実施例１によれば次の効果を奏する。
上分割鉄心４および下分割鉄心５間を巻線１０の外部で組合せた。従って、上分割鉄心４および下分割鉄心５間の組合せ部分が視認可能となるので、例えば作業者が上分割鉄心４および下分割鉄心５間を巻線１０の装着状態で結束バンド１１によって結束する場合に両者間の位置的なずれの有無を一目で確認することができる。しかも、絶縁シート６が巻線１０の装着状態で視認可能となるので、例えば絶縁シート６の上分割鉄心４および下分割鉄心５に対する位置的なずれの有無を作業者が一目で確認することができる。
【００２１】
上分割鉄心４および下分割鉄心５間の組合せ部分を粘着テープ１３で封止した。従って、上分割鉄心４および下分割鉄心５間の組合せ部分に湿気が進入することを防止できるので、上分割鉄心４の切断面７および下分割鉄心５の切断面８のそれぞれで錆が生じることを防止できる。しかも、上分割鉄心４および下分割鉄心５間を巻線１０の外部で組合せたので、巻線１０の装着状態で粘着テープ１３の巻回作業が容易になる。
【００２２】
上記実施例１においては、巻鉄心１を両継鉄部３で左分割鉄心および右分割鉄心に２分割しても良い。
上記実施例１においては、巻鉄心１を絶縁筒９および巻線１０の外部で３つ以上の分割鉄心に分割しても良い。
【実施例２】
【００２３】
上分割鉄心４および下分割鉄心５は、図３に示すように、複数層に重なる四角環状の磁気素材を絶縁筒９および巻線１０のそれぞれの内部となる位置で切断することから構成されたものであり、上分割鉄心４の両切断面７のそれぞれは絶縁筒９および巻線１０の内部のうち上端面の近傍に設定され、下分割鉄心５の両切断面８のそれぞれも絶縁筒９および巻線１０の内部のうち上端面の近傍に設定されている。
【００２４】
巻鉄心１の両脚部２のそれぞれの前面は、図４に示すように、絶縁筒９内の前面に対して後へ離間しており、脚部２の前面および絶縁筒９内の前面間には隙間２１が形成されている。図５は作業者が脚部２の前面および絶縁筒９内の前面間を上から隙間２１を通して角度θ°（３０°）で覗き込んだ状態を示すものであり、符号Ｅは脚部２の前面のうち目線Ｌに比べて上の視認領域である。この視認領域Ｅは脚部２の前面のうち作業者が外部から視認することが可能な領域であり、上分割鉄心４の両切断面７および下分割鉄心５の両切断面８のそれぞれは斜め上に前から隙間２１を通して視認可能に視認領域Ｅ内に配置され、両絶縁シート６のそれぞれも斜め上に前から隙間２１を通して視認可能に視認領域Ｅ内に配置されている。
【００２５】
巻鉄心１には、図３に示すように、両脚部２のそれぞれの前面に位置して樹脂封止部２２が形成されている。これら両樹脂封止部２２のそれぞれは粘性を有する樹脂が硬化したものであり、樹脂は結束バンド１１の装着後に塗布具を隙間２１内に挿入することに応じて塗布具によって塗布される。この樹脂封止部２２は上分割鉄心４および下分割鉄心５間の組合せ部分を絶縁シート６の上から水密に塞ぐものであり、封止部に相当する。
【００２６】
上記実施例２によれば次の効果を奏する。
巻鉄心１および巻線１０間に隙間２１を形成した。従って、上分割鉄心４および下分割鉄心５間の組合せ部分が巻線１０の内部に位置しているにも拘らず視認可能となるので、例えば作業者が上分割鉄心４および下分割鉄心５間を巻線１０の装着状態で結束バンド１１によって結束する場合に両者間の位置的なずれの有無を一目で確認することができる。しかも、絶縁シート６が巻線１０の装着状態で視認可能となるので、例えば絶縁シート６の上分割鉄心４および下分割鉄心５に対する位置的なずれの有無を作業者が一目で確認することができる。
【００２７】
上分割鉄心４および下分割鉄心５間の組合せ部分を樹脂封止部２２で封止したので、上分割鉄心４の切断面７および下分割鉄心５の切断面８のそれぞれで錆が生じることを防止できる。しかも、巻鉄心１および巻線１０間に隙間２１を形成することに応じて分割鉄心４および下分割鉄心５間の組合せ部分を巻線１０の装着状態で視認可能としたので、巻線１０の装着状態で樹脂の塗布作業が容易になる。
【００２８】
上記実施例２においては、複数層に重なる環状の磁気素材を上分割鉄心４の切断面７が絶縁筒９および巻線１０の上端面と同一の平面上となるように切断しても良く、要は上分割鉄心４の切断面７および下分割鉄心５の切断面８が視認領域Ｅ内となるように切断すれば良い。
【００２９】
上記実施例２においては、脚部２の前面および絶縁筒９内の前面間に換えて脚部２の後面および絶縁筒９内の後面間に隙間２１と同じ幅寸法の隙間を形成しても良い。
上記実施例２においては、脚部２の前面および絶縁筒９内の前面間に加えて脚部２の後面および絶縁筒９内の後面間に隙間２１と同じ幅寸法の隙間を形成しても良い。
【００３０】
上記実施例１〜２においては、絶縁シート６としてアラミド紙とは異なるＰＥＴフィルム等を用いても良い。
上記実施例１〜２においては、両絶縁シート６を廃止しても良い。
【００３１】
上記実施例１〜２においては、本発明を変圧器とは異なるリアクトル等の静止誘導機器に適用しても良い。
以上、本発明の実施例を説明したが、この実施例は例として提示したものであり、発明の範囲を限定することは意図していない。これら新規な実施例は、その他の様々な形態で実施されることが可能であり、発明の要旨を逸脱しない範囲で、種々の省略、置き換え、変更を行うことができる。これら実施例やその変形は発明の範囲や要旨に含まれると共に特許請求の範囲に記載された発明とその均等の範囲に含まれる。
【符号の説明】
【００３２】
１は巻鉄心、４は上分割鉄心（分割鉄心）、５は下分割鉄心（分割鉄心）、６は絶縁シート（絶縁材）、１０は巻線、１３は粘着テープ（封止部）、２１は隙間、２２は樹脂封止部（封止部）である。
【図１】
0006577352.tif 000002
【図２】
0006577352.tif 000003
【図３】
0006577352.tif 000004
【図４】
0006577352.tif 000005
【図５】
0006577352.tif 000006